(57)【特許請求の範囲】
【請求項１】
開口部およびその開口部を開閉する開閉戸を有する建築物において、
前記開口部の下框と、該下框に設けられた前記開閉戸を開閉するための溝付きレールと、ロールスクリーンとを備えており、
該ロールスクリーンは、引出し／巻取りが自在に行えるスクリーンを有しており、
前記スクリーンの下端縁に複数の係止部材を有しており、
前記係止部材は、紐と係合具からなり、
該係合具は、前記溝付きレールの溝に挿抜自在であり、かつ係合可能な形状を有する
ことを特徴とするロールスクリーン設備。
【請求項２】
前記溝付きレールは、カバー片を有しており、該カバー片で画定される開口寸法が、溝付きレールの内側寸法より小さく、
前記係合具は、前記開口寸法より小さい寸法と、前記開口寸法よりも大きく前記内側寸法よりも小さい寸法を持つ立体である
ことを特徴とする請求項１記載のロールスクリーン設備。
【発明の詳細な説明】
【技術分野】
【０００１】
本発明は、ロールスクリーン設備に関する。さらに詳しくは、開口部を有する建築物に好適なロールスクリーン設備に関する。
【背景技術】
【０００２】
従来のロールスクリーン設備として、特許文献１のものがある。この従来技術は、フレームと、フレームに回転自在な状態で取付けられた巻取軸と、巻取軸に巻回されたスクリーンと、スクリーンの先端部に取付けられたウエイトバーとを備えた可動式ロールスクリーンである。フレームは窓枠に沿って昇降すると共にウエイトバーは、床に設けられた被係合部に係合できる。
この被係合部は、出窓ユニットの窓面に対し直角な向きに延び、かつ床面に設けた溝付きレールである。一方、ウエイトバーの中心位置には位置決めクリップが取付けられていて、この位置決めクリップを溝付きレールに係合させると、スクリーンを任意の長さに引き出して保持することができる。
【０００３】
しかるに、位置決めクリップはスクリーンの幅方向の中央部１ヵ所だけに取付けられているので、風が窓面から入ってくるとスクリーンがあおられてバタつくことがある。
また、このようなロールスクリーンを、人の出入りが可能な大きさの掃き出し窓などに用いた場合、人が歩く床面に溝の付いたレールを設ける必要があり、人が歩くと引っ掛かるおそれがある。
【先行技術文献】
【特許文献】
【０００４】
【特許文献１】特開２０１０−１０１０６６号公報
【発明の概要】
【発明が解決しようとする課題】
【０００５】
本発明は上記事情に鑑み、スクリーンが風でバタつくことがなく、人が歩く床面を平滑に保てるロールスクリーン設備を提供することを目的とする。
【課題を解決するための手段】
【０００６】
第１発明のロールスクリーン設備は、開口部およびその開口部を開閉する開閉戸を有する建築物において、前記開口部の下框と、該下框に設けられた前記開閉戸を開閉するための溝付きレールと、ロールスクリーンとを備えており、該ロールスクリーンは、引出し／巻取りが自在に行えるスクリーンを有しており、前記スクリーンの下端縁に複数の係止部材を有しており、前記係止部材は、紐と係合具からなり、該係合具は、前記溝付きレールの溝に挿抜自在であり、かつ係合可能な形状を有することを特徴とする。
第２発明のロールスクリーン設備は、第１発明において、前記溝付きレールは、カバー片を有しており、該カバー片で画定される開口寸法が、溝付きレールの内側寸法より小さく、前記係合具は、前記開口寸法より小さい寸法と、前記開口寸法よりも大きく前記内側寸法よりも小さい寸法を持つ立体であることを特徴とする。
【発明の効果】
【０００７】
第１発明によれば、スクリーンを複数の係止部材で拘束できるので、風が開口部から入ってきてあおられてもスクリーンがバタつくことはない。また、溝付きレールは下框に設けられ、通常人が歩く床面には存しないので、人が歩く床面を平滑に保つことができる。
第２発明によれば、係合具を溝付きレールの溝に挿入可能でありながら、いったん溝に挿入すると勝手に抜け出ることがないので、スクリーンを任意の量だけ引き出した状態で保持できる。
【図面の簡単な説明】
【０００８】
【図１】本発明の一実施形態に係るロールスクリーン設備の側面図である。
【図２】係合具の溝付きレールへの挿抜操作の説明図である。
【図３】スクリーンの係止状態の説明図である。
【図４】本発明が適用される建築物の一例を示す斜視図である。
【図５】折り戸を開いた状態の斜視図である。
【図６】折り戸を閉じた状態の斜視図である。
【図７】折り戸とレールを示す断面図である。
【発明を実施するための形態】
【０００９】
つぎに、本発明の実施形態を図面に基づき説明する。
まず、図４を参照しながら本発明が適用される建築物を説明する。
本発明が適用される建築物Ａとは、開口部とその開口部を開閉する開閉戸を有する建築物であって、一般家屋などの独立した建物のほかサンルームやテラス、ガーデンルームなどの付属した建物を含むものである。
開口部には、人の出入りが可能な大きさの掃き出し窓のほか、窓なども含まれる。
これらの建物Ａの建築構造の種類は問わないが、本発明の実施形態においては、適数本の柱１と、床２と屋根３を含み、隣接する柱１，１の上端同士を連結する上框５と下端同士を連結する下框４を備えている。
【００１０】
建築物Ａの開口部を開閉する開閉戸の種類は問わないが、たとえば図示の折り戸６等が用いられる。折り戸６は２枚の戸板６Ａ，６Ｂを折り畳み自在に取付けたもので、図５は折り戸６が開いた状態を示し、図６は折り戸６が閉じた状態を示している。
そして、戸板６Ａ，６Ｂの側端部において、下端部にはガイド輪６１が取付けられ、上端部にはガイド輪６２が取付けられている。
【００１１】
図７は図４の建築物において折り戸６とロールスクリーン３０を取付けた状態を示している。
下框４には溝付きレール１０が取付けられており、上框５には溝付きレール２０が取付けられている。
そして、折り戸６の下のガイド輪６１が下の溝付きレール１０に挿入され、上のガイド輪６２が上の溝付きレール２０に挿入されている。折り戸６は上のガイド輪６２と溝付きレール２０により吊下げられた状態で取付けられている。
【００１２】
前記上框５にはロールスクリーン３０が取付けられている。
ロールスクリーン３０は、支持軸３１とスクリーン３２とを備えており、上框５の室内側に固定されている。支持軸３１は、スクリーン３２の巻取機構を内蔵しており、スクリーン３２の引出し／巻取りが自在に行えるようになっている。
【００１３】
図７および図４に示すように、スクリーン３２の下端にはウエイトバー３３が取付けられている。このウエイトバー３３の幅方向中央部には引き紐３４が取付けられている。
そして、スクリーン３２の下端縁、即ちウエイトバー３３には複数の係止部材４０が取付けられている。本実施形態では、スクリーン３２の左右両端部、具体的にはウエイトバー３３の両端部に係止部材４０が取付けられている。
【００１４】
つぎに、ロールスクリーン設備の詳細を説明する。
まず、係止部材４０を図１に基づき説明する。
この係止部材４０は紐４１と係合具４２とからなる。紐４１には適宜の長さを有する繊維製の紐や軽金属製のチェーン、ワイヤーなどが用いられる。その紐４１の一端はウエイトバー３３の端部に連結され、他端には係合具４２が連結されている。
【００１５】
本実施形態で用いる係合具４２は、略円筒形をなす立体である。すなわち、平面視で円形であり、側面視で台形である。材質にとくに規制はないが、ゴム、プラスチックなどが支障なく用いられる。
【００１６】
下框４に設けられた溝付きレール１０は、溝本体１１とカバー片１２とからなる。溝本体１１は断面視Ｕ字形であり、上面が開口している。そして、溝本体１１の上部には、左右両側にカバー片１２を有し上面の中央部のみが開口している。
そして、溝付きレール１０の内側寸法Ｄ１は係合具４２の直径（最大径）よりやや大きくなっている。
また、開口寸法Ｄ２は係合具４２の厚みよりやや大きく、係合具４２の直径（最大径）よりは小さくなっている。
このため、係合具４２を溝本体１１内に入れて抜け出ないように係合することができ、しかも人為的には挿抜可能となっている。
【００１７】
図示の実施形態における係合具４２と溝付きレール１０の寸法は、以下のとおりである。
係合具４２は平面視で円形であり、側面視で台形である。なお、前記した最大径には、下記「上部の直径」が相当する。
（１）係合具４２
・上部の直径：３０ｍｍ
・下部の直径：２２ｍｍ
・厚み      ：１５ｍｍ
・材質      ：ゴム
（２）溝付きレール１０の寸法
・Ｄ１      ：３２ｍｍ
・Ｄ２      ：１８ｍｍ
【００１８】
図２に基づき、係合具４２の挿抜操作を説明する。
（Ａ）図は挿入前の状態である。（Ｂ）図は挿入時を示しており、係合具４２を傾けるか縦向きにして、左右のカバー片１２，１２の間を通し、溝本体１１の中に入れる。
（Ｃ）図は係合具４２が溝本体１１内に入った状態であり、係合具４２が紐４１で吊下げられた状態で係合具４２が水平になっている限り、勝手に溝本体１１から抜け出ることはない。
【００１９】
係合具４２を溝本体１１から抜き取るには、係合具４２を人の指でつまんで、（Ｂ）図に示すように傾斜させるか縦向きにすればよく、左右のカバー片１２，１２の間から抜き取ることができる。
このようにして、係合具４２を溝付きレール１０の溝に挿入可能でありながら、いったん溝に挿入すると勝手に抜け出ることがないので、スクリーン３２を任意の量だけ引き出した状態で保持できる。
【００２０】
図３はスクリーン３２を引き出して係止した状態を示している。図示のように、溝付きレール１０は下框４に設けられ、通常人が歩く床面には存しないので、人が歩く床面を平滑に保つことができる。
【符号の説明】
【００２１】
１０  溝付きレール
１１  溝本体
１２  カバー片
３０  ロールスクリーン
３２  スクリーン
３３  ウエイトバー
４０  係止部材
４１  紐
４２  係合具
【図１】
0006295217.tif 000002
【図２】
0006295217.tif 000003
【図３】
0006295217.tif 000004
【図４】
0006295217.tif 000005
【図５】
0006295217.tif 000006
【図６】
0006295217.tif 000007
【図７】
0006295217.tif 000008